(57)【特許請求の範囲】
【請求項１】
容器入り飲料を容器から注出するための飲料サーバーであって、前記容器の上面に開口した注出口を介して前記容器内の飲料の液面に空気圧を印加する空気圧供給部と、上流端が前記注出口を介して前記容器内部へ挿入される上流側注出管と、この上流側注出管の下流端に弁装置を介して接続された下流側注出管を備え、前記弁装置が、前記上流側注出管の下流端及び前記下流側注出管の上流端が開口した弁ケースと、前記下流側注出管の上流端又は前記上流側注出管の下流端を開閉可能に配置されると共に外周部が前記弁ケースに着脱可能に密接された可撓弁体と、前記可撓弁体を前記下流側注出管の上流端又は前記上流側注出管の下流端に対して密接又は離間させる弁棒を備え、前記下流側注出管が複数設けられ、前記弁装置が、前記複数の下流側注出管のうちいずれかの上流端に前記可撓弁体を選択的に密接させることによって流路を切り替えるものであり、前記空気圧供給部の駆動が前記弁装置の流路切り替え動作に連動して行われることを特徴とする飲料サーバー。
【請求項２】
上流側注出管の上流端を挿入した容器入り飲料を収納可能であって空気圧供給部からの空気圧が供給される密閉可能な加圧室を備えることを特徴とする請求項１に記載の飲料サーバー。
【発明の詳細な説明】
【技術分野】
【０００１】
本発明は、缶入り飲料、瓶入り飲料、ＰＥＴボトル入り飲料など、容器入りの飲料をグラスなどに注ぐための飲料サーバーに関する。
【背景技術】
【０００２】
従来、缶ビールや缶ジュースなど、容器入りの飲料をグラスに注ぐ場合、通常は、缶の上面に設けられたプルタブを引き起こすことによって注出口を開口し、手に持った缶を傾けることによって、中のビールを注出口からグラスに注出しているが、近年は、このような容器入りの飲料を、手で傾けるのではなく、レバーの操作によってグラスに注出可能とした飲料サーバーが開発されている（例えば下記の特許文献１参照）。
【先行技術文献】
【特許文献】
【０００３】
【特許文献１】特開２００２−２０５７９６号公報
【発明の概要】
【発明が解決しようとする課題】
【０００４】
この種の飲料サーバーは、使用後は、雑菌やカビが発生するのを防止するために、飲料の注出用配管や弁装置などを十分に洗浄して乾燥させる必要がある。しかし、特許文献１に記載のような従来の飲料サーバー（飲料注出装置）は、弁装置など接液部分の構造が複雑で分解しにくく、このため洗浄作業が困難で、洗浄後に再び組み立てる作業も時間がかかっていた。
【０００５】
本発明は、以上のような点に鑑みてなされたものであって、その技術的課題は、弁装置など接液部分の構造を簡素化して容易に洗浄可能とした飲料サーバーを提供することにある。
【課題を解決するための手段】
【０００６】
上述した技術的課題を有効に解決するための手段として、請求項１の発明に係る飲料サーバーは、容器入り飲料を容器から注出するための飲料サーバーであって、前記容器の上面に開口した注出口を介して前記容器内の飲料の液面に空気圧を印加する空気圧供給部と、上流端が前記注出口を介して前記容器内部へ挿入される上流側注出管と、この上流側注出管の下流端に弁装置を介して接続された下流側注出管を備え、前記弁装置が、前記上流側注出管の下流端及び前記下流側注出管の上流端が開口した弁ケースと、前記下流側注出管の上流端又は前記上流側注出管の下流端を開閉可能に配置されると共に外周部が前記弁ケースに着脱可能に密接された可撓弁体と、前記可撓弁体を前記下流側注出管の上流端又は前記上流側注出管の下流端に対して密接又は離間させる弁棒を備え、前記下流側注出管が複数設けられ、前記弁装置が前記複数の下流側注出管のうちいずれかの上流端に前記可撓弁体を選択的に密接させることによって流路を切り替えるものであり、前記空気圧供給部の駆動が前記弁装置の流路切り替え動作に連動して行われることを特徴とするものである。
【０００７】
上記構成において、容器入り飲料を容器から注出する際には、容器の上面の注出口を開口し、この注出口から容器内へ上流側注出管の上流端を挿入し、空気圧供給部を駆動することによって容器内の飲料の液面に空気圧を印加すると共に、弁ケースに開口した上流側注出管の下流端又は下流側注出管の上流端から可撓弁体を弁棒で離間させるように弁装置を動作させる。このようにすることによって、容器内の飲料が、その液面に作用する空気圧によって上流側注出管から弁ケース内及び下流側注出管を介して外部へ注出される。使用後は、弁ケースから可撓弁体を取り外すことによって、可撓弁体と、弁ケースの内部及びこれに接続された上流側注出管及び下流側注出管の洗浄を行うことができる。
【０００９】
上記構成において、容器入り飲料を容器から注出する際には、容器入り飲料の上面の注出口を開口し、この注出口から容器内へ上流側注出管の上流端を挿入し、空気圧供給部を駆動することによって容器内の飲料の液面に空気圧を印加すると共に、弁ケースに開口した複数の下流側注出管のうちいずれかの上流端に可撓弁体を選択的に密接させ、他の下流側注出管の上流端から可撓弁体を離間させるように弁装置を動作させる。このようにすることによって、容器内の飲料が、その液面に作用する空気圧によって上流側注出管から弁ケース内及び複数の下流側注出管のうちいずれかを介して外部へ注出される。
【００１０】
請求項２の発明に係る飲料サーバーは、請求項１に記載の構成において、上流側注出管の上流端を挿入した容器入り飲料を収納可能であって空気圧供給部からの空気圧が供給される密閉可能な加圧室を備えることを特徴とするものである。
【００１１】
上記構成において、容器入り飲料を容器から注出する際には、容器入り飲料の上面の注出口を開口し、この注出口から容器内へ上流側注出管の上流端を挿入した状態で、容器を加圧室へ収納してこの加圧室を密閉し、空気圧供給部を駆動して加圧室を空気圧で加圧することによって、容器内の飲料の液面に空気圧を印加すると共に、弁ケースに開口した下流側注出管の上流端から可撓弁体を離間させるように弁装置を動作させる。このようにすることによって、容器内の飲料が、その液面に作用する空気圧によって上流側注出管から弁ケース内及び複数の下流側注出管のうちいずれかを介して外部へ注出される。そしてこの場合、加圧室への収納が可能な大きさの容器であれば、どのような容器からでも飲料を注出することができる。
【発明の効果】
【００１２】
本発明に係る飲料サーバーによれば、弁装置など接液部分がユニット化され、注出管の開閉が着脱可能な可撓弁体によって行われるため、この可撓弁体を取り外すことによって接液部分を容易に洗浄可能であり、しかも弁装置など接液部分がユニット化されているので、洗浄のための分解や組立を容易に行うことができる。
【図面の簡単な説明】
【００１３】
【図１】本発明に係る飲料サーバーの好ましい実施の形態を示す概略構成説明図である。
【図２】本発明に係る飲料サーバーの好ましい実施の形態における要部を示す斜視図である。
【図３】本発明に係る飲料サーバーの好ましい実施の形態における弁装置を示す概略構成及び動作説明図である。
【図４】本発明に係る飲料サーバーの好ましい実施の形態における弁装置を示す非注出時の状態を示す平面断面図である。
【図５】本発明に係る飲料サーバーの好ましい実施の形態における弁装置を示す液注出時の状態を示す平面断面図である。
【図６】本発明に係る飲料サーバーの好ましい実施の形態における弁装置を示す発泡注出時の状態を示す平面断面図である。
【図７】本発明に係る飲料サーバーの好ましい実施の形態における弁装置を示す分解状態を示す平面断面図である。
【図８】本発明に係る飲料サーバーの他の好ましい実施の形態における弁装置を示す概略構成及び動作説明図である。
【図９】本発明に係る飲料サーバーの他の好ましい実施の形態における弁装置を示す分解状態を示す平面断面図である。
【発明を実施するための形態】
【００１４】
以下、本発明に係る飲料サーバーの好ましい実施の形態について、図面を参照しながら説明する。まず図１に示す全体の概略構成において、参照符号１はＡＢＳ樹脂などの合成樹脂製のボディであって、互いに分離可能に結合された下部パーツ１１、中間筒体１２及び上部パーツ１３からなる。
【００１５】
ボディ１の下部パーツ１１は、ベース１１１と、このベース１１１の上面から立ち上がる筒部１１２と、ベース１１１の上面における筒部１１２と隣接する位置に形成されたトレイ部１１３からなり、トレイ部１１３は、例えばビールグラスを置くことのできる大きさを有する。
【００１６】
ボディ１の中間筒体１２は、上底部１２１を有し下端が開放された有底円筒状をなすものであって、その下部外周の複数個所に設けられた結合爪１２２と下部パーツ１１における筒部１１２の上端外周の複数個所に設けられた不図示の被結合部によって、下端縁１２ａが、下部パーツ１１における筒部１１２の上端縁１１２ａに、分離可能に接合されるようになっており、その接合面間（１２ａ，１１２ａ間）は、不図示のパッキンによって密封されるようになっている。
【００１７】
そして、下部パーツ１１の筒部１１２と、中間筒体１２は、上述のように結合爪１２２と不図示の被結合部によって互いに結合された状態では、内部に密閉された加圧室１０が画成されるようになっている。この加圧室１０は、例えば５００ｍＬのビール缶１００を収納するのに十分な容積を有するものである。なお、ビール缶１００は請求項１に記載された容器に相当するものである。
【００１８】
中間筒体１２の上底部１２１には、注出ユニット２が着脱可能に取り付けられる。注出ユニット２は、ボディ１の加圧室１０内に収納されたビール缶１００の上面に開口した不図示の注出口を介してビール缶１００内へ挿入される上流側注出管２１と、中間筒体１２の上底部１２１に開設された取付穴１２１ａに不図示のパッキンを介して着脱可能に取り付けられ上流側注出管２１の下流端に接続された弁装置２２と、上流端が弁装置２２に接続された液注出管２３及び泡注出管２４と、ボディ１の外部から突出した状態でボディ１の中間筒体１２と上部パーツ１３に挟持可能であって、液注出管２３及び泡注出管２４の下流端が接続された液注出ノズル２５ａ及び泡注出ノズル２５ｂを有するノズル部材２５とからなる。
【００１９】
注出ユニット２における上流側注出管２１は可撓性を有する合成樹脂製チューブからなるものであって、注出ユニット２を中間筒体１２の上底部１２１に取り付けた状態では、弁装置２２における後述の弁ケース２２１の底壁部から加圧室１０内へ延び、この加圧室１０の底壁に到達する程度の長さを有する。なお、液注出管２３及び泡注出管２４は、請求項１に記載された下流側注出管に相当するものである。
【００２０】
注出ユニット２における弁装置２２は、図２、図３及び図４などに示すように、底壁部に上流側注出管２１の下流端２１ａが開口し、側壁部に液注出管２３及び泡注出管２４の上流端２３ａ，２４ａが開口した合成樹脂製の弁ケース２２１と、液注出管２３及び泡注出管２４の上流端２３ａ，２４ａを開閉可能な可動シール部２２２ａ，２２２ｂを有すると共に外周部２２２ｅが弁ケース２２１の開口縁に着脱可能に密接されたシリコーンゴム等のゴム弾性体からなるダイアフラム状の可撓弁体２２２と、可撓弁体２２２の外側に配置されて可撓弁体２２２の可動シール部２２２ａ，２２２ｂを液注出管２３及び泡注出管２４の上流端２３ａ，２４ａを選択的に密接又は離間させる弁棒２２３，２２４を備える。
【００２１】
可撓弁体２２２は、通常は図３（Ａ）に示すように、可動シール部２２２ａ，２２２ｂが液注出管２３及び泡注出管２４の上流端２３ａ，２４ａから離間した位置にあって、図３（Ｂ）に示すように、可動シール部２２２ａ又は２２２ｂが弁棒２２３又は２２４に押圧されたときに可撓膜部２２２ｃ又は２２２ｄの伸長を伴いながら可動シール部２２２ａ又は２２２ｂが液注出管２３の上流端２３ａ又は泡注出管２４の上流端２４ａを閉塞するものである。一方、弁棒２２３，２２４は、例えば弁ケース２２１に着脱可能に固定されるガイド部材２２５に設けたガイド孔２２５ａに、略水平方向移動可能に保持された構成とすることができる。
【００２２】
図１に示すボディ１の上部パーツ１３は、その下部外周の複数個所に設けられた結合爪１３１と中間筒体１２の上底部１２１の外周の複数個所に設けられた不図示の被結合部によって、中間筒体１２の上底部１２１に分離可能に接合されるようになっており、内部に、エアポンプ３と、超音波振動子４と、これらエアポンプ３及び超音波振動子４の駆動電源である電池（例えば単三乾電池２本）５や不図示の回路基板と、上部パーツ１３の上面から外部へ突出したレバー６１の揺動操作によって回転軸６２を中心とする所定角度範囲で回動可能なカム６と、このカム６の下側に上下方向往復動自在に配置されて下端が弁装置２２における弁棒２２３，２２４と接触可能な一対のカム棒６３，６４と、このカム棒６３，６４をそれぞれ弁棒２２３，２２４から離間させる方向（上方）へ弾性的に付勢する一対のスプリング６５，６６が取り付けられている。
【００２３】
カム６には、回動によってカム棒６３，６４の上端と接触可能な一対の突起６ａ，６ｂが互いに円周方向異なる角度で形成されており、カム６の回動によって突起６ａ，６ｂがカム棒６３，６４をスプリング６５，６６の付勢力に抗して選択的に押し下げるようになっている。また、カム棒６３，６４の下端には斜面６３ａ，６４ａが形成されており、この斜面６３ａ，６４ａは、カム６による押し下げ過程で、弁棒２２３，２２４の後端に形成された斜面２２３ａ，２２４ａと摺動可能であり、これによって弁棒２２３，２２４が水平方向へ変位して可撓弁体２２２の可動シール部２２２ａ，２２２ｂを選択的に開閉動作させるようになっている。
【００２４】
エアポンプ３は、ボディ１の加圧室１０内に空気を供給して、この加圧室１０に収納されたビール缶１００の上面に開口した注出口を介してビール缶１００内のビールの液面に空気圧を作用させるためのものであって、すなわちエアポンプ３の吐出口から延びる空圧供給路は、ボディ１の中間筒体１２の上底部１２１から加圧室１０に開口している。
【００２５】
超音波振動子４は、例えば圧電素子からなるものであって、泡注出管２４に当接した状態に配置されており、不図示の発振回路による高周波電圧を印加することによって超音波振動を発生し、この超音波振動を泡注出管２４に伝達するものである。
【００２６】
また、カム６には不図示のスイッチが取り付けられている。そして、レバー６１の揺動操作によってカム棒６４を押し下げる方向すなわち図２における反時計方向へカム６が回転し、カム棒６４の押し下げによって、図５に示すように弁棒２２４を介して押圧される可撓弁体２２２の可動シール部２２２ｂが泡注出管２４の上流端２４ａを閉塞すると共に、可撓弁体２２２の可動シール部２２２ａが液注出管２３の上流端２３ａを開放した状態では、カム６のスイッチを介して電池５からの電力がエアポンプ３の駆動回路へ供給され、また逆に、レバー６１の揺動操作によってカム棒６３を押し下げる方向すなわち図２における時計方向へカム６が回転し、カム棒６３の押し下げによって、図６に示すように弁棒２２３を介して押圧される可撓弁体２２２の可動シール部２２２ａが液注出管２３の上流端２３ａを閉塞すると共に、可撓弁体２２２の可動シール部２２２ｂが泡注出管２４の上流端２４ａを開放した状態では、カム６のスイッチを介して電池５からの電力がエアポンプ３の駆動回路及び超音波振動子４の発振回路へ供給されるようになっている。
【００２７】
次に、以上のような構成を備える飲料サーバーを用いて缶入りビールをビールグラスなどに注ぐ場合の手順について説明する。
【００２８】
まず、あらかじめボディ１の下部パーツ１１と中間筒体１２を互いに分離しておき、適度に冷却した３５０ｍＬあるいは５００ｍＬなどの缶入りビールのビール缶１００を、その上面のプルタブによって注出口を開口した状態で、このビール缶１００をボディ１の下部パーツ１１における筒部１１２の底面上に載置する。
【００２９】
ここで、上部パーツ１３が結合された中間筒体１２の内周空間には、注出ユニット２における上流側注出管２１が延びているので、この上流側注出管２１を、ビール缶１００の上面に開口した注出口からこのビール缶１００内へ挿入しながら、中間筒体１２を下部パーツ１１の筒部１１２の上にかぶせるようにして、中間筒体１２の下部外周に設けられた結合爪１２２と下部パーツ１１における筒部１１２の上端外周に設けられた不図示の被結合部によって、中間筒体１２と下部パーツ１１の筒部１１２とを互いに結合する。そしてこのようにすることで、下部パーツ１１の筒部１１２と中間筒体１２の間に、密閉された加圧室１０が画成され、ビール缶１００がこの加圧室１０に収納された状態となる。
【００３０】
そして、ボディ１の下部パーツ１１におけるトレイ部１１３に、適当なビールグラスを置いてから、レバー６１を例えば図１における左側へ傾倒させると、これによってカム６が図２における反時計方向へ回転し、カム６の突起６ｂによってカム棒６４がスプリング６６の付勢力に抗して押し下げられ、その下端の斜面６４ａが弁棒２２４の後端に形成された斜面２２４ａと摺動しながらこれを水平方向へ押圧するので、弁装置２２は、図４に示すニュートラル状態から、図５に示すように、弁棒２２４によって可撓弁体２２２における一方の可動シール部２２２ｂが可撓膜部２２２ｄの伸長変形を伴いながら進出して泡注出管２４の上流端２４ａに密接し、泡注出管２４を閉塞する。一方、カム６の突起６ａはカム棒６３を押し下げていないので、可撓弁体２２２における可動シール部２２２ａは進出せず、液注出管２３は開放された状態となっている。
【００３１】
またこのとき、カム６のスイッチを介して電池５からの電力がエアポンプ３の駆動回路へ供給されるので、エアポンプ３の駆動によって加圧室１０に空気が送られ、この加圧室１０が加圧される。このため、加圧室１０に収納されたビール缶１００内のビールの液面に、ビール缶１００の上面に開口した注出口を介して加圧室１０の空気圧が作用し、外部の大気の圧力との差圧によって、ビール缶１００内のビールは注出ユニット２における上流側注出管２１から弁ケース２２１内及び開放状態にある液注出管２３を経由して、ノズル部材２５の液注出ノズル２５ａからトレイ部１１３上のビールグラスへ注がれる。
【００３２】
そしてビールグラスへ適量のビールが注がれた時点で、こんどはレバー６１を反対側（例えば図１における右側）へ傾倒させると、これによってカム６が図２における時計方向へ回転し、カム６の突起６ａによってカム棒６３がスプリング６５の付勢力に抗して押し下げられ、その下端の斜面６３ａが弁棒２２３の後端に形成された斜面２２３ａと摺動しながらこれを水平方向へ押圧すると共に、他方のカム棒６４がスプリング６６の付勢力によって上昇する。このため、弁装置２２は、図５に示す状態から、弁棒２２３によって可撓弁体２２２における可動シール部２２２ａが可撓膜部２２２ｃの伸長変形を伴いながら進出して液注出管２３の上流端２３ａに密接し、液注出管２３を閉塞する一方、可動シール部２２２ｂは、可撓膜部２２２ｄの弾性的な収縮力によって弁棒２２４を後退させながら泡注出管２４の上流端２４ａから離間し、泡注出管２４を開放する。
【００３３】
またこのとき、カム６のスイッチを介して、電池５からの電力がエアポンプ３を駆動する駆動回路及び超音波振動子４を駆動する発振回路へ供給されるので、エアポンプ３の駆動によって加圧室１０に空気が送られ、この加圧室１０が加圧されると共に、超音波振動子４が高周波電圧によって超音波振動を発生し、泡注出管２４を加振する。このため、ビール缶１００内のビールは注出ユニット２における上流側注出管２１から弁ケース２２１内及び開放状態にある泡注出管２４を経由して、泡注出管２４を通る際に超音波振動を受けることによってきめ細かいクリーミーな泡となり、ノズル部材２５の泡注出ノズル２５ｂからトレイ部１１３上のビールグラスへ注がれる。
【００３４】
そして所要の泡が注出されたら、レバー６１を略垂直な位置に戻せば、カム６のスイッチがエアポンプ３の駆動回路及び超音波振動子４の発振回路を遮断するので、エアポンプ３及び超音波振動子４の駆動が停止し、注出が終了する。
【００３５】
すなわち、図示の形態の飲料サーバーによれば、まずビールグラスに適量のビールを注いでから、その上にきめ細かい泡を注出してクリーミーな泡の層を形成することによって、飲むときの口当たりを良くすると共にビールから炭酸ガスが抜けるのを抑制するので、おいしさを向上させることができる。また、注出ユニット２における上流側注出管２１の上流端（下端）は、加圧室１０に収納されたビール缶１００の底面に達する長さを有するため、内部のビールを、ほとんど残らないように注出することができる。
【００３６】
そして使用後、雑菌やカビが発生するのを防止するために注出ユニット２内の接液部分を洗浄する場合は、まずボディ１の上部パーツ１３に設けられた結合爪１３１を開くことによって中間筒体１２の上底部１２１から上部パーツ１３を取り外せば、ボディ１から注出ユニット２を中間筒体１２の上底部１２１から分離して取り外すことができる。このため図７に示すように、注出ユニット２における弁装置２２の弁ケース２２１の開口縁から、シリコーンゴム等のゴム弾性体からなる可撓弁体２２２を取り外すことによって、この可撓弁体２２２の洗浄や、弁ケース２２１内、上流側注出管２１内、液注出管２３及び泡注出管２４内の洗浄を容易に行うことができる。
【００３７】
また、洗浄後、水切りした後は弁ケース２２１に可撓弁体２２２を嵌着してから、上流側注出管２１をボディ１の中間筒体１２の上底部１２１に開設された取付穴１２１ａを通じて加圧室１０内へ挿入し、弁装置２２及びノズル部材２５を中間筒体１２の上底部１２１に嵌め込んでから、中間筒体１２上に上部パーツ１３をかぶせて結合爪１３１により結合するだけで容易に組み立てることができる。
【００３８】
次に図８は、本発明に係る飲料サーバーの他の好ましい実施の形態における弁装置を示すものである。この実施の形態において、先に説明した実施の形態と異なるところは、可撓弁体２２２の可動シール部２２２ａ，２２２ｂを選択的に押圧して液注出管２３の上流端２３ａ又は泡注出管２４の上流端２４ａに対して密接又は離間させる弁棒２２３，２２４が、図１〜図３に示すカム棒６３，６４を兼ねる点にある。
【００３９】
詳しくは、液注出管２３及び泡注出管２４の上流端２３ａ，２４ａは、弁ケース２２１内で上向きに開口しており、外周部がこの弁ケース２２１の上部開口２２１ａに着脱可能に密接された可撓弁体２２２は、可動シール部２２２ａ，２２２ｂが、液注出管２３及び泡注出管２４の上流端２３ａ，２４ａの上側に位置している。また、可撓弁体２２２の可撓膜部２２２ｃ，２２２ｄはベローズ状に形成されている。
【００４０】
そして、図２に示すカム６の回動によって、このカム６に形成された突起６ａ，６ｂが弁棒２２３，２２４をスプリング６５，６６の付勢力に抗して選択的に押し下げ、この弁棒２２３，２２４によって、可撓弁体２２２の可動シール部２２２ａ，２２２ｂが、図８（Ａ）に示す通常開放状態から、図８（Ｂ）に示すように、可撓膜部２２２ｃ，２２２ｄの変形を伴いながら液注出管２３及び泡注出管２４の上流端２３ａ，２４ａを選択的に閉塞するものである。
【００４１】
したがって、この実施の形態によれば、弁棒２２３，２２４が図１〜図３に示すカム棒６３，６４を兼ねる分、部品数が少なくなり、構造を簡素化することができる。
【００４２】
また、この実施の形態も、上流側注出管２１、弁装置２２液注出管２３及び泡注出管２４等からなる注出ユニット２をボディから取り外して、図９に示すように、弁装置２２の弁ケース２２１の上部開口から、可撓弁体２２２を取り外すことによって、この可撓弁体２２２の洗浄や、弁ケース２２１内、上流側注出管２１内、液注出管２３及び泡注出管２４内の洗浄を容易に行うことができる。
【００４３】
なお、上述した実施の形態では、加圧室１０がボディ１における下部パーツ１１の筒部１１２の上に中間筒体１２を密接状態にかぶせて中間筒体１２に設けられた結合爪１２２と下部パーツ１１に設けられた被結合部によって結合することで画成されるものとしたが、中間筒体１２と下部パーツ１１の筒部１１２はねじ込み式に結合されるものであっても良く、あるいはヒンジを介して互いに開閉可能に連結しても良く、また、ボディ１に開閉可能な扉を設けて、この扉から容器入り飲料を出し入れし、この扉によって加圧室１０を密閉する構成としたものなども考えられる。
【００４４】
また、３５０ｍＬあるいは５００ｍＬなどの缶入りビールに限らず、加圧室１０への収納が可能な大きさの容器であれば、加圧室１０内への空気圧の印加によって、瓶やＰＥＴボトルなど、どのような容器からでも飲料を注出することができる。また、飲料はビールに限らないことは言うまでもない。
【００４５】
また、図示の実施の形態はいずれも、複数の下流側注出管（液注出管２３及び泡注出管２４）が設けられ、弁装置２２が、上流側注出管２１からのビールの流路を液注出管２３又は泡注出管２４へ切り替えるものであるため、可撓弁体２２２の可動シール部２２２ａ，２２２ｂが液注出管２３及び泡注出管２４の上流端２３ａ，２４ａと密接又は離間するようになっているが、弁装置２２が、上流側注出管２１と単一の下流側注出管の間を開放又は遮断するものである場合は、可撓弁体２２２は、上流側注出管２１の下流端２１ａを開閉するものであっても良い。
【符号の説明】
【００４６】
１  ボディ
１０  加圧室
１００  ビール缶（容器）
２  注出ユニット
２１  上流側注出管
２２  弁装置
２２１  弁ケース
２２２  可撓弁体
２２２ａ，２２２ｂ  可動シール部
２２３，２２４  弁棒
２３  液注出管（下流側注出管）
２４  泡注出管（下流側注出管）
２５  ノズル部材
３  エアポンプ
４  超音波振動子
【図１】
0006545514.tif 000002
【図２】
0006545514.tif 000003
【図３】
0006545514.tif 000004
【図４】
0006545514.tif 000005
【図５】
0006545514.tif 000006
【図６】
0006545514.tif 000007
【図７】
0006545514.tif 000008
【図８】
0006545514.tif 000009
【図９】
0006545514.tif 000010